(57)【要約】      （修正有）【課題】コラム式水中ポンプの動力ケーブル、制御ケーブル等を揚水管に対して容易に固定、分解作業を行うことができるケーブル固定装置を提供する。【解決手段】コラム式水中ポンプにおいて、コラム３の上端周壁の一側にケーブルボックス１９を形成し、ケーブルボックス１９の上部を切欠いた開口部に、シールカバー２３を着脱自在に配設すると共に、外部に貫通する水中ポンプのケーブル２４を水密に固定するシール部材２５をシールカバー２３に配設したもので、ケーブル２４の取り付け、取外し作業が簡単であるから、作業性を向上させ、作業者の労働負担の軽減を図ることができる。また、コラム３内のケーブル２４の撓みを目視しながら調節することができるので、流水による曲げや振動によるケーブル２４の損傷を防止できる。【選択図】図３
0003153989.tif 000002
【実用新案登録請求の範囲】
【請求項１】
吸水槽（１）に設置した揚水管（３）に着脱自在とした水中ポンプ（３）において、コラム（３）の上端周壁の一側に、内部にケーブル支持スペース（１８）を有し、前壁上端から中央部にかけて開口部を切欠いたケーブルボックス（１９）を形成し、ケーブルボックス（１９）の切欠部に、シールカバー（２３）を着脱自在に配設すると共に、外部に貫通する水中ポンプ（４）のケーブル（２４）を水密に固定するシール部材（２５）をシールカバー（２３）に配設したことを特徴とする水中ポンプのケーブル固定装置。
【請求項２】
上記シールカバー（２３）の内側にケーブル（２４）を載置するケーブル支持台（２６）を延設し、ケーブル支持台（２６）の上端をコラム（３）中心部に向かって傾斜させたことを特徴とする請求項１に記載の水中ポンプのケーブル固定装置。
【請求項３】
上記ケーブルボックス（１９）の上端部のフランジ（２９ｂ）と、該フランジ（２９ｂ）と連接するコラム（３）上端の円環状フランジ（２９ａ）と、ケーブルボックス（１９）に配設するシールカバー（２３）上端部のフランジ（２９ｃ）と止水蓋（２１）で、ガスケット（２０）を挟持して、コラム（３）とシールカバー（２３）を水封することを特徴とする請求項１または２に記載の水中ポンプのケーブル固定装置。
【考案の詳細な説明】
【技術分野】
【０００１】
この考案は、吸水槽等に設置した水中ポンプのケーブル固定装置に関し、特に揚水管に着脱自在としたコラム式水中ポンプの動力ケーブル、制御ケーブル等を揚水管に対して容易に固定、分解作業を行うことができるケーブル固定装置に関する。
【背景技術】
【０００２】
従来、吸水槽等に設置した揚水管の底部に着脱自在な水中ポンプを支架させ、揚水管の上方から揚水管の底部の水中ポンプに給電するコラム式水中ポンプにおいて、揚水管の蓋の一部を切欠いてケーブルを挿通し、この切欠部に着脱自在にケーブルホルダを固定し、ケーブルホルダのケーブル挿通部を水密にしたコラム式水中ポンプが、特許文献１に記載されている。
また、特許文献２には、コラム式水中ポンプにおいて、コラムの上端開口部近傍の側部にフランジを取り付けたケーブル引出口を形成し、水中ポンプのケーブルを引出口に挿通し、２分割されたケーブル保持具でケーブルを挟着した状態でフランジに固定した構造が図１に開示されている。さらに、コラムの上端開口部の一側に、ケーブル挿通用の切欠が形成されたボックスを設け、ボックス内に収納した弾性保持体でケーブルを挟着する構造が図５に開示されている。
【先行技術文献】
【特許文献】
【０００３】
【特許文献１】実公平７−２４６３６号公報（図３、４）
【特許文献２】特開平１−２１９３８９号公報（図１、図５）
【考案の概要】
【考案が解決しようとする課題】
【０００４】
特許文献１のコラム式水中ポンプは、揚水管の蓋に取り付けるケーブルホルダにケーブルを挿通して固定しているので、ケーブルが垂直方向に外部に引出されている。そのため、ケーブルを固定する際には、ケーブルを上方に引張り位置決めする作業者と、位置決めした位置でケーブルホルダに固定する作業者とが必要になり作業性が悪い。また、水中ポンプを揚水管から引き上げる際に、揚水管の蓋だけでなく、ケーブルを固定しているケーブルホルダも揚水管の蓋から取り外す必要がある。
特許文献２の図１に開示されている構成は、水中ポンプをコラムに設置する際に、水中ポンプのケーブルをケーブル引出口から外部に引出す必要があるので、ケーブルが長い場合やケーブル引出口の位置によっては非常に手間がかかる。
特許文献２の図５に開示されている構成は、コラムの蓋を取り外すとケーブルを容易に取付け・取外しできるものであるが、ケーブルを挟着する弾性保持体は蓋で対向圧接しているだけなので、蓋の取付けの際に弾性保持体の位置がずれて、水密が保持できなくなるという課題や、蓋の取外しの際に弾性保持体がコラム内に落下するという問題がある。
【０００５】
この考案は、吸水槽等に設置した水中ポンプにおけるケーブル等の固定装置に関し、特に揚水管に着脱自在としたコラム式水中ポンプの動力ケーブルをコラムに対して容易に取付け、取外しが可能な固定装置を提供する。
【課題を解決するための手段】
【０００６】
吸水槽に設置した揚水管に着脱自在とした水中ポンプにおいて、コラムの上端周壁の一側に、内部にケーブル支持スペースを有し、前壁上端から中央部にかけて開口部を切欠いたケーブルボックスを形成し、ケーブルボックスの切欠部に、シールカバーを着脱自在に配設すると共に、外部に貫通する水中ポンプのケーブルを水密に固定するシール部材をシールカバーに配設したので、止水蓋を開放した状態でコラム内のケーブルの撓みを目視しながら調節して固定することができる。また、シールカバーを取り外すことによりケーブルを容易にコラムから着脱可能であり、作業者の労働負担の軽減を図り、作業時間を短縮して作業性を向上させることができる。
【０００７】
上記シールカバーの内側にケーブルを載置するケーブル支持台を延設し、ケーブル支持台の上端をコラム中心部に向かって傾斜させたもので、ケーブルの自重やコラム内の流水による無理な曲げや振動による損傷を防止できる。ケーブル支持台はコラム内に突出していないので、水中ポンプが揚水する流水の妨げになることがない。
【０００８】
上記ケーブルボックスの上端部のフランジと、該フランジと連接するコラム上端の円環状フランジと、ケーブルボックスに配設するシールカバー上端部のフランジと止水蓋で、ガスケットを挟持して、コラムとシールカバーを水封するので、コラム内を上昇する揚水が外部に洩れることがない。
【考案の効果】
【０００９】
この考案に係る水中ポンプのケーブル固定装置は、水中ポンプをコラムに収納した水中ポンプにおいて、止水蓋を開放した状態でコラム内のケーブルの撓みを目視しながら調節して固定することができるので、流水による曲げや振動によるケーブルの損傷を防止できる。また、先行技術とは異なり、コラムから止水蓋を取り外すだけで水中ポンプを吊上げて点検することができる。さらに、ケーブルが貫通しているシールカバーをコラム上端に切欠いた開口に固定しているので、シールカバーと共に取り外すことによりケーブルを容易にコラムから着脱可能であり、水中ポンプの保守点検スペースがコラムから離れた場所であっても水中ポンプを持ち運びできる。
したがって、取り付け、取外し作業が簡単であり、ケーブル調整は一度行うと再調整する必要がないので、作業者の労働負担の軽減を図り、作業時間を短縮して作業性を向上させることができる。
【図面の簡単な説明】
【００１０】
【図１】この考案に係わるコラム式水中ポンプにおけるケーブル固定装置の概略縦断側面図である。
【図２】同じく、水中ポンプを装着したコラムの下半部を示す縦断側面図である。
【図３】同じく、水中ポンプを装着したコラムの上半部を示す縦断側面図である。
【図４】同じく、図１におけるＡ−Ａ断面図である。
【図５】同じく、コラム式水中ポンプのケーブル固定装置の正面図である。
【考案を実施するための形態】
【００１１】
本考案の実施の形態を図面に基づき詳述すると、図１はコラム式水中ポンプの縦断面図であって、吸水槽１に設置したコラム式水中ポンプ２は、吸水槽１の天壁から垂下されたコラム３と、このコラム３の下端開口部に支架された水中ポンプ４とで構成されている。
【００１２】
図２はコラム式水中ポンプの下半部を示すもので、符号５は水中電動機であって、その主軸６の下端部に羽根車７が止着してあり、水中電動機５の主軸６は内側ガイドフレーム８でその下部が軸支されている。符合９は漏斗状の外側ガイドフレームであって、外側ガイドフレーム９と内側ガイドフレーム８は案内羽根１０で連結されて流路が形成してある。外側ガイドフレーム９の上端部がコラム３の下端内周面に設けた係合片１１に着脱自在に係止され、コラム３の下方に吊設されている。外側ガイドフレーム９の下端には、縮開させた吸込ベル１２が連結してあり、吸込ベル１２の内周面に接近させて羽根車７が配設してある。そして、吸込ベル１２から吸引された水は羽根車７で加圧し、加圧された旋回流は、内側ガイドフレーム８と外側ガイドフレーム９の間の流路に設けた案内羽根１０で直線流に変換され、コラム３と水中電動機５の間を通り、コラム３の上部に揚水されて、図１に示す吐出管１３から排出される。なお、符号１４はコラム３を吸水槽１に吊設するための支持板である。
水中電動機５の天壁に設けた吊り環１５には水中ポンプ４の昇降用の吊り具１６が連結してある。吊り具１６の上端は、図１に示すコラム３の上部内壁部の掛止金具１７に吊設してある。
【００１３】
図３はコラム式水中ポンプのケーブル固定装置の縦断面図であって、コラム３の上端周壁の一側に、内部にケーブル支持スペース１８を有し、前壁上端から中央部にかけて開口部を切欠いたケーブルボックス１９を形成してある。上面は開放してあり、側壁上部にはフランジを配設し、ガスケット２０を挟着して止水蓋２１と固定する。
ケーブルボックス１９前壁の開口部はガスケット２２を挟着してシールカバー２３を着脱自在に固定する。シールカバー２３の上部にフランジが配設されており、ガスケット２０を挟着して止水蓋２１と固定してある。
【００１４】
ケーブルボックス１９に固定したシールカバー２３の中央部に、水中ポンプ４のケーブル２４を水密に固定するためのシール部材２５が取り付けてあり、ケーブル２４はシール部材２５から貫通して外部に取り出している。
シールカバー２３の内側には、ケーブル２４を載置するようにケーブル支持台２６を延設してある。ケーブル支持台２６の上面は、コラム３中心に向かうほど徐々に下方に傾斜してあり、ケーブル支持スペース１８内でケーブル２４をシール部材２５まで滑らかに案内しているので、ケーブル２４の自重やコラム３内の流水による無理な曲げや振動による損傷を防止できる。ケーブル支持台２６にはシール部材２５の位置に対向して半円筒状の案内２７を配設してあり、ケーブル２４の下半部を支えるので、ケーブル２４が横方向にずれる恐れもない。
【００１５】
図４は図３におけるＡ−Ａ断面図であって、ケーブルボックス１９の上端部両側面には、コラム３上端の円環状フランジ２９ａと連接するフランジ２９ｂが配設してある。ケーブルボックス１９にシールカバー２３を取り付けることによって、コラム３の上端部フランジは、ケーブルボックス１９のケーブル支持スペース１８が凸状に形成される。止水蓋２１は同様の形状で形成してあるガスケット２０を挟持して、円環状のコラム３の円環状フランジ２９ａとそれに連設するケーブルボックス１９両端部のフランジ２９ｂ、およびシールカバー２３のフランジ２９ｃと固着され、コラム３内を上昇する揚水が外部に洩れないように水密にしてある。
ケーブルボックス１９及びケーブル支持台２６は、円筒状のコラム３内に突出していないので、水中ポンプ４が揚水する流水の妨げになることがない。
【００１６】
図５はコラム式水中ポンプのケーブル固定装置の正面図であって、ケーブルボックス１９の開口部に固定したシールカバー２３の中央部にシール部材２５を固着し、水中ポンプ４のケーブル２４を貫通させて任意の位置で水密に固定できるようにしてある。本実施例では３本のケーブル２４・・・をコラム内から外部に引出している。
シールカバー２３は位置決め部材２８により位置決めしてケーブルボックス１９に取り付けているので、上端のフランジ面に段差がつくことなく、水密を保つことができる。本実施例では数本のピンを用いて位置決めを行っているが、シールカバーとケーブルボックスとの嵌めあい加工等、周知の手段により位置決めを行ってもよい。また、シールカバー２３のフランジ上面をコラム３のフランジ上面より若干高くすれば、止水蓋２１を取り付ける際にシールカバー２３にかかる押圧力が高くなるので水密性が強まる。
【実施例】
【００１７】
本考案のケーブル２４を固定する作業について説明する。
（１）天井クレーン等で吊り具１６を用いて水中ポンプ４をコラム３内に吊り降ろし、吊り具１６の上端をコラム３の上部内壁部の掛止金具１７に吊設する。
（２）ケーブルボックス１９に取り付けてあるシールカバー２３に水中ポンプ４のケーブル２４を挿通し、コラム３内部のケーブル２４の状態を目視しながらシール部材２５を締め付ける。必要に応じてケーブル２４をバンド等で吊り具に固定してもよい。
（３）ガスケット２０を挟着し、止水蓋２１を固定する。
水中ポンプ４をコラム３から引き上げる際には、上記作業の逆手順によって容易に行うことができる。
シールカバー２３はケーブル２４を挿通させた状態でケーブルボックス１９から取り外すことができるので、引き上げた水中ポンプ４をコラム３から離れた場所にも着座させることができる。
本実施例のシール部材２５は、円筒状の本体をシールカバー２３に螺着し、本体に内挿した円筒状のパッキンを押えることにより、本体とケーブル２４に密着させて水封するケーブルグランドを用いているが、同様の作用を奏するものであれば、シールカバー２３と一体的に形成されていても構わない。
【産業上の利用可能性】
【００１８】
この考案に係る水中ポンプのケーブル固定装置は、水中ポンプのケーブルを容易に最適に調節して固定することができるので、流水による曲げや振動によるケーブルの損傷を防止できる。また、止水蓋を取り外して水中ポンプを吊上げて点検する際に、止水蓋にケーブルを貫通させていないので、ケーブルが邪魔にならない。さらに、コラム上端の開口からケーブルを容易にコラムから着脱可能であり、水中ポンプの保守点検スペースがコラムから離れた場所であっても水中ポンプを持ち運びできる。
したがって、据付及び稼動後の保守点検における作業性が向上し、緊急時でも簡単に運搬、据付できるので、局部的な内水排水用ポンプとして有用なポンプとなる。
【符号の説明】
【００１９】
１    吸水槽
２    コラム式水中ポンプ
３    コラム
４    水中ポンプ
１８  ケーブル支持スペース
１９  ケーブルボックス
２０  ガスケット
２１  止水蓋
２３  シールカバー
２４  ケーブル
２５  シール部材
２６  ケーブル支持台
２９ａ，２９ｂ，２９ｃ  フランジ
【図１】
0003153989.tif 000003
【図２】
0003153989.tif 000004
【図３】
0003153989.tif 000005
【図４】
0003153989.tif 000006
【図５】
0003153989.tif 000007